(57)【要約】【課題】  携帯情報端末の使用者の前方の障害物を検知するために障害物検出センサを装備して検知し、その結果を使用者に通知できるようにしたり、電源の装備により携帯情報端末への電力供給や充電をも可能にした携帯情報端末用のセービングケースを提供する。【解決手段】  携帯情報端末の使用者が歩き操作等による端末画面の凝視時に前方の障害物、特に人を検知するための障害物検出センサとして赤外線センサ等を装備し、その結果を使用者に知らせる通知手段としてＬＥＤランプ、表示面等を装備する。また、電源として太陽電池等を装備し、携帯情報端末への電力供給や充電を可能とした携帯情報端末用のセービングケースとする。【選択図】図１
2015061313.tif 000002
【特許請求の範囲】
【請求項１】
進行方向や側面といった前方の障害物を検出する検知手段と検知した結果を携帯情報端末の使用者に知らせる通知手段とを装備したこと、又は該検知手段及び通知手段と電源とを装備したこと、又は該電源を装備したことを特徴とする携帯情報端末用のセービングケース。
【請求項２】
前記検知手段としての障害物検出センサは、赤外線センサ、超音波、ミリ波、準ミリ波の一以上用いたことを特徴とする請求項１記載の携帯情報端末用のセービングケース。
【請求項３】
前記障害物検出センサとして、特に集電型赤外線センサを用いたことを特徴とする請求項１又は２記載の携帯情報端末用のセービングケース。
【請求項４】
前記通知手段は、光、音、表示のうち一以上用いたことを特徴とする請求項１記載の携帯情報端末用のセービングケース。
【請求項５】
前記通知手段として、発光素子で点灯や点滅させる光信号発信手段、又は音声や注意音を発生させる音信号発信手段、又は注意文字等を表示面又は携帯情報端末画面に表示する手段を有することを特徴とする請求項１、２、３又は４記載の携帯情報端末用のセービングケース。
【請求項６】
前記電源として、太陽電池又は電池を用いたことを特徴とする請求項１、２、３、４又は５記載の携帯情報端末用のセービングケース。
【請求項７】
前記電源による電力を携帯情報端末に供給又は充電できるようにしたことを特徴とする請求項１、２、３、４、５又は６記載の携帯情報端末用のセービングケース。
【請求項８】
前記太陽電池の発電促進及び汚損防止のために中空又はかぎ状の掛け具を設けたことを特徴とする請求項１、２、３、４、５、６又は７記載の携帯情報端末用のセービングケース。
【請求項９】
前記検知手段と検知した結果を携帯情報端末の使用者に知らせる通知手段とを装備したこと、又は該検知手段及び通知手段と電源とを装備したこと、又は該電源を装備したことを特徴とする携帯情報端末用のセービングケースの製造方法。
【発明の詳細な説明】
【技術分野】
【０００１】  本発明は携帯情報端末の使用者（以下「使用者」）の進行方向や側面といった前方の障害物、特に人を検出してその結果を使用者に通知したり、電源の装備により携帯情報端末への電力供給や充電をも可能にした携帯情報端末用のセービングケースに関する。
【背景技術】
【０００２】  文献１は、ユーザが携帯情報端末（以下「端末」）の注視時に前方の障害物を検知する障害物検出センサと、検知時にユーザに注意を促す報知手段とを端末に装備したもので、報知手段に振動、音、表示を用い、障害物への接近状態によって鳴動の間隔調整や表示内容と文面変更ができ、障害物検出センサは赤外線センサ、超音波、カメラを用いる。【０００３】  また移動中のユーザを感知する手段（振動センサ）、移動中の感知に応じるための制御手段（監視タイマーで一定時間ごとの移動量を測定し、移動量に応じて感知手段の電源を切り替える制御機能）等を有する。【０００４】  しかし、文献１は端末本来の電話及びメール通信機能に新たに上記の高機能を加えることになるため、該電話及びメール通信機能を損なわずに活用するには電力対策が必要。【０００５】  前記文献１に対し、本発明は使用者の前方の障害物、特に人を検知して通知する手段を端末のセービングケースに装備した点で異なる。また、文献１が端末電源を用いるのに対し、本発明はセービングケースに太陽電池や電池といった電源を装備して用いる点で異なり、さらに端末に対して電力供給や充電ができる点でも異なる。【０００６】  また、機能面では、文献１が検知手段及び通知手段に振動センサ、監視タイマー、制御機能等といった多くの高機能を装備し、人や物の障害物とともに使用状態にも対応できるのに対し、本発明は使用者の前方にいる人を特に検知し通知するための手段、機能としている点で異なる。【０００７】
【文献１】
特許公開２００３−２４０８５０
【発明の開示】
【発明が解決しようとする課題】
【０００８】  前記課題を含め、使用者の前方の障害物を検知するために障害物検出センサを装備して検知し、その結果を使用者に通知できるようにしたり、電源の装備により端末への電力供給や充電をも可能にした携帯情報端末用のセービングケースを提供する。
【問題を解決するための手段】
【０００９】  前記課題を解決するため、使用者が端末の凝視時に前方の障害物、特に人を検知するための検知手段として障害物検出センサである赤外線センサ、特に集電型赤外線センサをセービングケースに装備し、障害物を検知した時は使用者に知らせる通知手段をも兼ね備え、これら手段に必要な電源を装備する。
【００１０】  前記赤外線センサは、人が発出する熱としての赤外線を検知するもので、一定程度の速度で移動する熱源を検出する。このとき該センサを２個設けることで、ドップラー効果による障害物の位置の検知が向上する。尚、人以外の障害物の検知も可能である。
【００１１】  障害物検出センサには、他に超音波、ミリ波、準ミリ波が可能で、事前に検知範囲を前方０．５ｍ〜２ｍ程度、角度５〜３０度程度にする。これは人の歩行速度と同程度の水平距離を確保することで危険回避反応ができ、角度も人の肩幅程度を確保できれば該反応が可能となるためである。
【００１２】  通知手段としては、光、音、表示が可能で、特にＬＥＤランプとして省電力と輝度向上を図る。音の場合は通知音や音声用のスピーカを設け、表示の場合は表示面を設けたり、端末の表示画面を用いる。
【００１３】  前記検知手段及び通知手段は、スイッチを設けて使用者が必要とする時に起動させる。電源は太陽電池や電池（一次、二次電池、蓄電池、キャパシタの全てを含む。）を用い、裏面等に太陽電池パネルを装備したり電池用の収納スペースを設け、必要により端末電源への接続端子等を設けて端末への電力供給や充電を可能とする。
【００１４】  セービングケースとは、使用者の安全確保、端末の保護、端末電源の支援等を目的に、プラスチック、セラミック、金属等を用いたハードケース型や衝撃吸収材、低反発材等を用いたソフトケース型やそれらを組み合わせた混合型として、前記検知手段や通知手段や電源が十分に機能するように成形したものである。尚カバー等に成形したものも含む。
【発明の効果】
【００１５】  本発明の効果は、使用者が歩き操作等での端末凝視時に前方の障害物、特に人の接近を事前に検知し使用者に通知することで衝突や致傷等の危険回避ができるようにしたこと。電源の装備により端末の電話やメール通信機能を損なわないようにしたこと。
【００１６】  また、電源の装備により端末への電力供給をして電話やメール通信機能をより継続させたこと。さらに、太陽電池等により端末電源への充電を可能としたことである。
【発明を実施するための最良の形態】
【００１７】  本発明について、図１から図３に基づいて説明する。但し、本発明はこれらに限らない。【００１８】  図１は、本発明の実施例（１）を示す平面的な斜視図で、端末、特にスマートフォンを側面から収納するハードケース型である。まず端末挿入口２、表示画面部３、障害物検出センサ４等の必要な箇所を除きプラスチック材でケース１を成形する。【００１９】  前記ケース１の上部表面にＬＥＤランプ６を３個設け、上部前方に障害物検出センサ４としての集電型赤外線センサ５（２個）を配置する。また、上表内部の基板部７には、これら機器等の制御回路等８を含む基板類を収納し、側面に起動用スイッチ９を設ける。【００２０】  これにより、使用者に接近した人の発する赤外線を集電型赤外線センサ５（２個）で検知し、移動状態等の結果をＬＥＤランプ６の点灯又は点滅で使用者に知らせる。尚、前記障害物検出センサ４は使用者の状況や状態によっては誤作動も考えられるため、本発明では使用者が必要と認めた場合にのみ起動させることとし、使用者の状況認識をより高めて活用することで誤作動を防止する。【００２１】  そして、前記ケース１の下部に蓄電池１０を配置し、裏面に設けた太陽電池パネル１１からの電力を受け基板部７に送電させる。また、端末への電力供給用に接続端子１２等を設ける。【００２２】  図２は、本発明の実施例（１）を示す断面的な斜視図で、端末挿入口２側から視たものであり、形態の内容は前記のとおりである。【００２３】  図３は、本発明の実施例（２）を示す斜視図で、ケース１の上部前方に設けた障害物検出センサ４としての集電型赤外線センサ５（２個）による検知結果を、上部表面に設けた表示面１３において注意を促すための簡潔な文字、記号、図形等として表示する。【００２４】  また、ケース１の上部側面に中空の輪状の掛け具１４を設けて、太陽電池パネル１１の受光状態を壁等に固定して発電促進を図り、かつ汚損防止をする。尚、端末を安定して使用するために指を挿入して用いても良い。
【図面の簡単な説明】
【００２５】
【図１】本発明の実施例（１）を示す平面的な斜視図
【図２】本発明の実施例（１）を示す断面的な斜視図
【図３】本発明の実施例（２）を示す斜視図
【符号の説明】
【００２６】        １  ケース
２  端末挿入口
３  表示画面部
４  障害物検出センサ
５  集電型赤外線センサ
６  ＬＥＤランプ
７  基板部
８  制御回路等
９  起動用スイッチ
１０  蓄電池
１１  太陽電池パネル
１２  接続端子
１３  表示面
１４  掛け具
【図１】
2015061313.tif 000003
【図２】
2015061313.tif 000004
【図３】
2015061313.tif 000005